(57)【要約】      （修正有）【課題】手先に震えがある方、指の太い方、幼児から高齢者まで誰でも簡単に開けられ様々な場所への吊り下げが可能となる易開封粘着ラベルを提供する。【解決手段】  チャック付袋2の外表面に仮貼付されたラベル1が形成されており、少なくともそのラベル基材の裏面は、粘着層3と摘み部の非粘着部4からによって構成されているものとし、フック穴若しくはフック体等の吊り下げ手段も備えた当該ラベルを一旦剥がしてから、チャック付袋の口部への再貼付を行う易開封粘着ラベル。【選択図】図１
2005313992.tif 000002
【特許請求の範囲】
【請求項１】
チャック付袋の外表面に、仮貼付されたラベルが形成されており、少なくとも、そのラベル基材の裏面は粘着層と摘み部の非粘着部によって構成され、当該ラベルを一旦剥がしてからチャック付袋の口部へ再貼付されることを特徴とする易開封粘着ラベル。
【請求項２】
上記ラベルの端部に吊下げ手段を備えたフック穴若しくはフック体が形成されている請求項１に記載の粘着ラベル。
【請求項３】
上記ラベルは長さの異なる２枚のラベルによって対面状態で形成されており、その２枚ラベルの粘着層によって袋の口部を両面から挟み貼付し、吊り下げに伴う重量を保持する構成を備えた請求項１に記載の粘着ラベル。
【発明の詳細な説明】
【技術分野】
【０００１】  チャック付袋が使われている製品用途としては、食品から物品、液状の保存に至るまで殆ど無限に利用されている。本発明は、それらを保存するチャック付袋の開封に際し、幼児から高齢者まで誰でも簡単に開けられように工夫した易開封ラベルであって、当該ラベルの端部に設けたフック穴、又はフック体を介して様々な場所への吊り下げが可能となることを特徴とする易開封粘着ラベルに関する。
【技術背景】
【０００２】  包装袋や製品に貼付されたこれまでのラベル、シール、ステッカー（以下、ラベルという。）の特徴として、値札や品質表示、応募ラベル等のようにその製品に関する表示を目的としてラベルが貼付されている。また、製品に包装されたフィルムを剥がすための開封ラベルやカップ麺等の食品容器の封止めラベルが考案されている。
【０００３】  消費者が購入する乾物や物品、液状の保存袋には、既にチャックを備えた袋が多く利用されている。この袋の開封にあたっては、最初にシートヒールされた上部分を切り取り線に沿ってはさみで切断し、次にその下部に設けられたチャック上部の両端を指で摘み広げて開封していた。しかしこの方法では、チャック部の密着に伴いその開封部の袋の両端がぴったりくっついており、開封するためには、その両端の開封部にわずかな隙間をつくるべく、両端を指でこすり広げたり、わずかな隙間に爪を差し込み入れたりするなど空間を確保した上で、摘み広げて開封していた。
【０００４】  包装袋が吊り下げ出来る形態としては、最初からその包装袋に吊り下げが可能となるような穴やフック体を設けるなどの加工がほどこされていた。
【発明の開示】
【発明が解決しようとする課題】
【０００５】  チャック付の袋は、上記の無限の用途の中で何度でも繰り返し使える便利さも高じて様々な産業分野で顕著に利用されている。しかしながら、このチャック付袋の形態によれば、密封性の高い構造について種々の改良が加えられている一方で、本来の開封の手軽さを損なうという本末転倒な結果を招いている。それは、チャックによる密封作用に伴い、本来の指で摘むはずである開封部分の隙間を小さくすると共に、開封部分をはさみで切り揃えてしまうことによって包装体の表面と裏面が一直線上に表裏一体に重なって、さらに、開口上部の余白部分がはさみで切り取られることにより余白部分の幅がさらに短くなくなり、開け広げる際の片面だけを指で引っ掛け開け広げることが極めて困難な状態となることが挙げられる。このことは手先が器用な方でも難開封となっている現実であり、手に震えがあるような手先が不自由な方や指の太い方、子供から高齢の方まで手軽に開封できる改良が急務とされている。本発明はこのような問題点の解決を図るものである。【０００６】  チャック付袋を利用した製品の販売時における形態を見ると、袋の上部がフック部によって吊り下がって陳列されているものも多く、見栄えが良い。しかしながら、フック部が使用に伴い切断されるので、これにより販売時の状態のような吊り下げする機能が使用により失われるという課題がある。
【課題を解決する為の手段】
【０００７】  これらの問題を解決する手段として、チャック付袋の外表面に、仮貼付されたラベルが形成されており、少なくとも、そのラベル基材の裏面は粘着層と摘み部の非粘着部によって構成され、当該ラベルを一旦剥がしてからチャック付袋の口部へ再貼付されることを特徴とする易開封粘着ラベルを提供する。
【０００８】  また、上記ラベルの端部に吊下げ手段を備えたフック穴若しくはフック体が形成されている粘着ラベルを提供する。
【０００９】  さらに、上記ラベルは長さの異なる２枚のラベルによって対面状態で形成されており、その２枚ラベルの粘着層によって袋の口部を両面から挟み貼付し、吊り下げに伴う重量を保持する構成を備えた粘着ラベルを提供する。
【発明の効果】
【００１０】  本発明のラベルによれば、既製品袋の改良を全く必要とせずにチャック付の袋の易開封を簡単かつ極めて安価に実現でき、経済的である。そして、幼児から高齢者まで誰でも簡単にチャック式袋の開封が可能となる。また、袋の上部に貼りかえられたラベルを指先でしっかり摘み広げて開封出来るので袋の開封に必要な力を軽減することが可能となる。また、このラベルを袋の表面と裏面の向かい合わせの同じ位置に２枚貼付することで、密封する際の位置合わせとしても利用できる。さらに、本利用を真っ当するには購入者によってその袋に貼付されたラベルを再貼付していただく手間があるが、その反面、消費者の視点を必ずそのラベルに着目させるメリットもある。つまり、販売に係る情報等をそのラベルに記載することで、そのラベルを通じて商品に係る情報をＰＲすることが可能となる。従って、購買心理を促進させる戦略的利用もラベルを介して合わせて展開できる。
【００１１】  さらに、ラベルの上部にフック穴若しくはフック体を設けることによってこれまで対応できなかった様々な場所への吊り下げが対応可能となり保存範囲が拡大する。
【発明を実施するための最良の形態】
【００１２】  本発明のラベルはチャック付袋の外表面に仮貼付されるものとし、そのラベル基材の材質は、袋の開封又は商品の吊下げとしての強度及び保持力を有するものであれば特に限定せず、材質は紙、プラスチックシート、ポリエステルフイルムやケント紙等とし、少なくともラベル基材の裏面の一部には粘着層が塗布されており、残りの一部には手軽に剥離できるように摘み部が非粘着部から成る構成とする。また、本発明のラベルの形状は、丸でも三角でも動物の形でも指で摘めさえすれば特に限定せず、当該ラベルの寸法は製品袋に応じた適当な大きさとし、しいて言えば指同等以上の太さが好ましい。【００１３】  本発明のラベルがチャック付袋に仮貼付される形態は、ラベル基材が直接製品袋へ仮貼付される構成が視覚的観点から踏まえると好ましい。図１はその形態を表している。また、図２で示すように剥離が簡単に出来るように、ラベル基材が剥離紙を備えた構成であって、その剥離紙の裏面に一度貼付すると剥がれない強粘着層を設け、この粘着により製品袋の外表面と剥離紙とを一体化させて、ラベルのみが手軽に取り剥がされる形態とする外、あえて剥離紙の裏面には粘着層を設けずに、セロハンテープ等の止め具で袋に仮貼付される構成とすることも可能である。このように、陳列の際に適宜後付けできる手段を備えた構成も可能である。すなわち、ラベルが製品袋に仮貼付される構成は、製品の価格や販売数量、商品の陳列状況に応じた適当な貼付方法が選択可能である。【００１４】  そして、本発明のラベルには着色も可能で、商品ＰＲ、品質表示、バーコード等の商品に関する情報等を何でも印刷して商品管理や販売促進できる形態となっている。【００１５】  次に、粘着層と非粘着部の境界の区別については、視覚で確認できるように線又は点線標示若しくは色違いとなっている形態が好ましい。【００１６】  次に、袋を吊下げ保持する形態として、本発明のラベルの上部にフック穴を設けＳカン等で吊下げ保持する形態とする。図１はその形態を表している。また、吊下げに伴い、商品の重量に応じた適当な保持力を備える必要がある場合は、フック穴外縁部が厚紙等の硬質の素材により補強される形態が好ましい。【００１７】  また、ラベルの上部にフック体を設け色々な場所への吊下げ保持する形態とする。図２はその形態を表している。【００１８】  次に、商品の重量によっては、ラベルそのものにさらに適当な保持力を備える必要があり、長さの異なる２枚のラベルが対面状態で形成させ、その２枚ラベルの粘着層によって袋の口部を両面から挟み貼付し、吊り下げに伴う重量を保持する構成を備えた粘着ラベルとする。図３はその形態を表している。【００１９】  なお、本発明はここに開示する特定の形態に限定する意図はなく、むしろ請求の範囲に定義する本発明の精神と範囲内にある全ての代替、変更及びこれと等価なものは本発明に含まれるものと理解されたい。
【図面の簡単な説明】
【００２０】
【図１】    図１は本発明のラベルの実施例を表す斜視図である。
【図２】    図２は本発明のフック付きラベルの実施例を表す斜視図である。
【図３】    図３は重量ある商品を吊り下げした際の本発明のラベルの形態を表す斜視図である。
【符号の説明】
【００２１】      １  ラベル
２  チャック付袋
３  粘着層
４  非粘着部
５  フック体
６  剥離紙
【図１】
2005313992.tif 000003
【図２】
2005313992.tif 000004
【図３】
2005313992.tif 000005